(57)【要約】【課題】改良された中央ストリップ材を備えたスライダ針を提供する。【解決手段】スライダ針は、針ベース本体２の開口１９を、例えば下側から通して留める、仕切り部材を含む。仕切り部材は、実際、オプションとして若干の遊びをもって、嵌め合い係合する結果、針ベース本体２に容易に挿入されうるが、なおも確実に保持されるような形状を持つ。当該仕切り部材は、弾性部およびスライダ・スリットの底部と相互に作用するフット延長部を備える。フット延長部は、反対方向に曲げられた２つの部分２７、２８を有するのが好ましい。当該部分は、横方向か、そうでない場合平坦な仕切り部材の長さ方向に曲げられてもよい。挿入スリットの形で構成されうる開口１９の領域では、針ベース本体２の背部１８はくぼみ２４を有するので、部分２７、２８は、針背部１８を越えて突き出ることができない。弾性部は、仕切り部材との一体部品であるのが好ましい。この結果、弾性部が外れる（失う）ことはない。費用効果的な製造が可能である。【選択図】図５
2011074559.tif 000002
【特許請求の範囲】
【請求項１】
その一端にフック（３）を有する針本体（２）と、
２つの側壁（５、６）と底部（１７）とによって、範囲を区切られ、少なくとも一つの開口（１９）が、当該底部（１７）を通って延びている、当該針本体（２）に設けられたスライダ溝（７）と、
少なくとも２本の脚（９、１０）を有し、長さ方向に移動可能なように当該スライダ溝（７）に配置されたスライダ（８）と、
当該開口（１９）を通り、当該スライダ溝（７）の当該底部（１７）に延びるように配置された少なくとも一つのフット延長部（２６）を有する、当該スライダ溝（７）に位置する仕切り部材（１５）と
からなるスライダ針（１）。
【請求項２】
前記側壁（５、６）は、前記スライダ溝（７）の両側に、互いに平行に配置される、ことを特徴とする請求項１に記載のスライダ針。
【請求項３】
前記開口（１９）は、溝の長さ方向に伸びる少なくとも一つのスリットにより形成される、ことを特徴とする請求項１に記載のスライダ針。
【請求項４】
前記開口（１９）は、前記側壁（５、６）の双方から距離を保つ、ことを特徴とする請求項１に記載のスライダ針。
【請求項５】
前記仕切り部材（１５）は、前記スライダ溝（７）内に延びる弾性部（２５）を有し、当該弾性部は、平面で、前記側壁（５、６）の間の中心に平行であるように配置される、ことを特徴とする請求項１に記載のスライダ針。
【請求項６】
前記フット延長部（２６）は、嵌め合いにより前記底部（１７）に固定される、ことを特徴とする請求項１に記載のスライダ針。
【請求項７】
仕切り部材（１５）は、少なくとも一つの弾力的に構成された部分（２９、３７）を有する、ことを特徴とする請求項１に記載のスライダ針。
【請求項８】
前記弾力的に構成された部分（２９、３７）は、戻り止め面（３１、３９）を備える、ことを特徴とする請求項７に記載のスライダ針。
【請求項９】
前記フット延長部（２６）は、少なくとも一つの曲げられた部分（２７、２７ａ）を有する、ことを特徴とする請求項１に記載のスライダ針。
【請求項１０】
前記曲げられた前記部分（２７ａ）は、針の長さ方向に曲げられている、ことを特徴とする請求項９に記載のスライダ針。
【請求項１１】
前記曲げられた部分（２７）は、針の横方向に曲げられている、ことを特徴とする請求項９に記載のスライダ針。
【請求項１２】
前記針本体（２）は、底部（１７）の外面する針背部（１８）に、フット延長部（２６）の前記曲げられた部分（２７、２７ａ）を収容するためのくぼみ（２４）を有する、ことを特徴とする請求項１に記載のスライダ針。
【請求項１３】
前記仕切り部材（１５）は、前記スライダ溝（７）で前記スライダ溝の長さ方向に移動できる、ことを特徴とする請求項１に記載のスライダ針。
【請求項１４】
前記仕切り部材（１５）は、部材同士を結合する手段により固定される、ことを特徴とする請求項１に記載のスライダ針。
【請求項１５】
前記仕切り部材（１５）は、少なくとも一つの溶接点により前記針本体（２）に固定される、ことを特徴とする請求項１４に記載のスライダ針。
【発明の詳細な説明】
【技術分野】
【０００１】
本発明は、編み機のためのスライダ針に関する。
【背景技術】
【０００２】
分かれたスライダを備えたスライダ針（複合針）は知られている。このようなスライダは、スライダ溝で走行する少なくとも２本の脚があって、中央ストリップ（隔壁）によって、互いに離れて保持される。
【０００３】
中央ストリップを含むこのようなスライダ針は、特許文献１により知られている。この文献では、中央ストリップは針本体と一体の部品である。この考え方を実現するには、高い製造費用が必要となり、結果として中央ストリップは堅固に支持される。
【０００４】
中央ストリップを含むスライダ針は、特許文献２によっても知られている。この中央ストリップは、後に針ベース本体に挿入され、着脱不可能な様にそれに固定される、独立の仕切り部材として構成される。このスライダ針のスライダ溝は、２つの側壁および１つの底部によって、その範囲を区切られる。部分的に１つの側壁を通るとともに、底部を通って延びるより大きな開口が、仕切り部材の延長部を収容する。延長部は、開口を通して側面からアクセス可能である。この延長部は針に取付けられ、恒久的に動かせない接続ができる。しかしながら、製作はかなり大変である。中心平面に対して非対称なように当該開口を設けるため、結果として針はかなり弱くなりやすい。例えば、針からぶら下がった編み物を引っ張った場合、当該針に曲げ応力がかかり、中央ストリップは外れてしまうかもしれない。さらにまた、この考え方では、仕切り部材の位置決めの点から、充分な精度を確保することは比較的困難である。
【０００５】
部材が、例えば仕切り部材が、針から外れて編み機に入った場合、制御不能に動く仕切り部材が、結局編み機に重大な損傷を引き起こすことになりかねない。
【先行技術文献】
【特許文献】
【０００６】
【特許文献１】欧州特許第１２２９１５９号明細書
【特許文献２】欧州特許第１４２４４１７号明細書
【発明の概要】
【発明が解決しようとする課題】
【０００７】
これを考慮して、中央ストリップ材を備えたスライダ針の改良案を提供するのが本発明の目的である。
【課題を解決するための手段】
【０００８】
この目的は、特許請求の範囲請求項１のスライダ針により達成される。
【０００９】
本発明のスライダ針は、針本体を有し、当該針本体のスライダ溝の底部には、少なくとも一つの開口が備えられる。スライダ溝に配置された仕切り部材のフット延長部は、当該開口を通って延びる。フット延長部は、スライダ溝の底部の下で、下方へ伸び、スライダ溝に嵌め合う（formschluessig）ように仕切り部材を固定する。フット延長部を底部の下で下方へ伸ばすことによって、仕切り部材がスライダ針から外れず、編み機内で制御不能に動かないことが確実となる。
【００１０】
スライダ溝の底部の開口は、スリットの形状を有するのが好ましい。当該開口は、スライダ溝の長さ方向に延びるのが好ましい。好ましい実施態様では、開口は、両側壁から距離を保つ。換言すれば、好ましくはスリット形の開口の両側に、一方では１つの側壁により、他方では開口により、それぞれ範囲を区切られたストリップの形をした底部領域がある。これらの２つのストリップの形をした底部領域は、同一平面に位置するのが好ましい。この底部領域は、スライダの２本の脚部のための摺動表面を形成するのが好ましい。言い方を変えると、例えば、細長いオーバル形であるスリットは、当該スリットの周囲全体にわたり、底部によって囲まれる。
【００１１】
仕切り部材は、基本的に長方形の形をもち、薄い平面部材として構成される。それは、側壁間の中心に平行な、フット延長部により保持された弾性部を有するのが好ましい。フット延長部は、好ましくはスリット形の開口のため中央に配置される平坦な部分であり、その弾性部は、側壁に平行に正確に整列させられる事が好ましい。仕切り部材は、通常、若干の長手方向の遊びおよび／または若干の側面の遊びをもって保持されるのが好ましい。
【００１２】
好ましくは、フット延長部は、底部と嵌め合いにより係合し、そこでは、嵌合いは、恒久的な変形、例えば、曲げによっても、あるいはフット延長部またはその部分の弾性動作によっても達成できる。好ましい実施態様では、フット延長部の端は横方向に曲げられる。この結果、仕切り部材は、所定の位置に動かずに保持されるか、あるいは最小限の遊びを示す。遊びは、スライダの動作方向にある、長手方向の遊びであってよい。加えて、または、代わりとして、仕切り部材が側面の方向にいく分移動可能であるように、若干の横の遊びがあってもよい。このようにして、スライダの望ましくないジャミングは、確実に排除できる。
【００１３】
底部の下で長さ方向にフット延長部を曲げることもできる。この場合、若干の遊びをもって仕切り部材を保持することもできる。遊びは、スライダ溝の長さ方向、すなわち、スライダの長さ方向に、同様にそれに対して横方向に、あってもよい。
【００１４】
仕切り部材を弾力的な仕方で、例えば、戻り止め手段を用いて、針本体に支持することもできる。その場合、ゴム部材または弾力的な支持部材を、フット延長部に、または、それに代えて、弾性部に設けてもよい。このような弾力的な部分は、例えば、仕切り部材に適当な切り欠きを設けることにより費用効果的に製造できる、バネ付勢されたタブであってもよい。
【００１５】
針背部には、特に、曲げられたフット延長部の部分を収容できるくぼみが設けられる。この結果、フット延長部のどの部分も針背部を越えて突き出ることがないことが確実となる。
【００１６】
仕切り部材の針本体との嵌め合い係合に加えて、例えば接着材か固定用ニスまたは溶接のような、部材同士の係止手段により、確実にぴったりとした接合ができる。
【００１７】
本発明の有利な実施態様の更なる詳細は、請求項、記載および図面の主題である。記載は本発明の本質的な態様および種々の状況に限定される。図面は、更なる詳細を開示するが、補足的と見なされるべきものである。
【図面の簡単な説明】
【００１８】
【図１】スライダ針の部分の分解図。
【図２】図１のスライダ針の、スライダを格納した状態の平面図。
【図３】図２のスライダ針の、スライダが前方へ動いた状態の平面図。
【図４】図３のスライダ針の線ＩＶ−ＩＶに沿った断面図。
【図５】図１および図４のスライダ針の、針の後ろを見た時の、詳細の斜視図。
【図６】スライダ針の変形の図７の線ＶＩ−ＶＩに沿った断面図。
【図７】図６のスライダ針の詳細の長手方向の断面図。
【図８】スライダ針の別の実施態様の長手方向の断面図。
【図９】スライダ針の更なる実施態様の長手方向の断面図。
【図１０】スライダ針の更なる実施態様の長手方向の断面図。
【図１１】スライダ針の更なる実施態様の長手方向の断面図。
【発明を実施するための形態】
【００１９】
図１は、簡略化されたスライダ針１を示す。このスライダ針１は、その一端にフック３を有する針本体２を含む。フック３の突端４は、２つの側壁５、６の間に定められるスライダ溝７を指しており、当該スライダ溝は、スライダ８を収容するように構成される。このスライダは、好ましくは柔軟性のある薄片として構成される２本の脚９、１０をもつ。薄片の前側から外側に伸びる突起１１、１２は、フック３を開閉するために設けられる。そのために、スライダ８はスライダ溝７の長さ方向に前後動する。スライダ８を駆動するために足部１３、１４が薄片９に設けられている。あるいは、薄片９、１０は別の仕方で保持されおよび／または駆動されてもよい。例えば、それらはスライダと一体の部分であってもよい。
【００２０】
図２から明らかなように、仕切り部材１５が、２枚の側面の壁５、６間の、そして薄片９、１０間のスライダ溝７に、配置され、当該仕切り部材の厚みは、所望の、そして、例えば、可能性として薄片９、１０および／または側壁５、６の厚みに対応するものが適切に選択される。仕切り部材１５は、２つの薄片９、１０を互いから離して保つ、平らな、平坦なシートメタル部であるのが好ましい。当該シートメタル部は、スライダ溝７の適切な位置に、例えば、図２および３で示すように、フック３のすぐ近くに、または、フックからわずかに大きい距離にある、例えば、図１に示すような位置１６にも、配置されてよい。
【００２１】
図４は、図３の線ＩＶ−ＩＶに沿った針の横断面で、スライダ溝を示す。スライダ溝７は、２つの側壁５、６および底部１７によって範囲を区切られ、当該底部は、下方の方向へ、すなわち、針背部１８の方へ、スライダ溝７の範囲を区切る。開口１９は底部１７を通って延び、針背部１８に至る。開口１９はいかなる適切な形を有してもよい。例えば、スリットの形の場合、スライダ溝の長さ方向に、すなわち側壁５、６に、そして薄片９、１０に平行して、スリットとして延びるのが好ましい。
【００２２】
スリット形の開口１９は、スライダ溝７の中央に配置されるのが好ましい。当該開口は、当該スライダ溝より狭いのが好ましい。従って、ストリップ（細長い条片）の形をした底部分２０、２１が、開口１９の両側に形成され、当該ストリップ形の部分の各々は、外側は側壁５、６の内部表面２２、２３によって、そして内側はスリット形の開口１９によって、範囲を区切られる。針背部１８の方へ向かって、開口１９は、くぼみ２４で終端するのが好ましく、そのくぼみは、例えば針本体２の全幅全体に、そして少なくともスリットとして構成される開口１９の全長に沿って延びる。
【００２３】
仕切り部材１５は、薄片９、１０の間に延びる弾性部２５と、開口１９により形成されるスリットを通って突き出る、少なくとも一つのフット延長部２６とを、備える。フット延長部２６は、最小の遊びをもって、底部１７の開口１９中に延びることができる。この結果、フット延長部２６は、底部１７の開口１９の、互いに面する内面に対し当接できるので、当該部材が側面の方向に仕切り部材１５を案内する。仕切り部材１５は、均一のシートメタル厚を有するシートメタル部であるのが好ましい。図４に示すように、フット延長部２６の部分２７、２８は別の方向へ離れるように、すなわち、針の横断方向に、横に曲げられてもよく、この結果、フット延長部２６の部分２７、２８は底部１７の下に伸びる。この関係は、図５の異なる視点からの斜視図に、再び示されている。明らかなように、フット延長部２６の横方向に曲げられた部分２７、２８はくぼみ２４により完全に収容される。従って、当該部分は針背部１８を越えては突き出ない。
【００２４】
仕切り部材１５は、フット延長部２６により嵌め合い（formschluessig）の方法で設置され、そして中心に保持される。しかしながら、特に、図５に示すように、仕切り部材１５は若干の長手方向の遊びをもっていてもよい。加えて、若干の側面の遊びをもっていてもよい。仕切り部材１５は、したがって、側面の方向に、または長さ方向において、少なくとも最小限の遊びを有するが、当該仕切り部材は、外れない（失われない）よう保護されるように、スライダ針１８に保持される、すなわち運転モード状況にかかわらずそれは外れない（失われない）。図５の仕切り部材１５は、それが針背部１８から開口１９に挿入されるかたちで、針本体２に設置されている。
【００２５】
仕切り部材１５をスライダ針１に設置するための別の選択肢は、図７と共に図６から明らかである。上記の記載は、以下に説明する差異を除いて、この実施態様に当てはまり、従ってすでに述べた参照符号が使用される。
【００２６】
ここで、くぼみ２４は図７および図６のようなスリットとして構成され、当該スリットは針本体２の全幅全体には延びていない。しかしながら、針背部１８上のくぼみ２４は、針の長さ方向に測ったとき、底部１７より長い。フット延長２６は、底部１７の下でスリットの長さ方向に延びる２つの部分２９、３０を有する。部分２９、３０は、例えば、フット延長部２６を適切に切り欠くことにより設けられる。それらは、戻り止め面３１、３２を有する弾性突起を形成する。これらの戻り止め面３１、３２は、戻り止め面３１、３２の背後の、スリット形の開口１９の前側端に延びた突出部３３、３４の下で延びる。弾性部２５から遠い側に面した側面に、弾力的に構成された部分２９、３０が、挿入斜面３５、３６を伴って設けられる。この実施態様では、仕切り部材１５は、針の上側からスリット形の開口１９に押し込まれることができ、それにより所定の位置に嵌まり、針本体２は戻り止め動作によって所定の位置に保持される。
【００２７】
戻り止め接続の変形は、例えば、図８に示されるように、可能である。単一の開口１９に代わり、２つのスリット形の開口１９ａ、１９ｂが設けられ、そこで当該開口は対応するくぼみ２４ａ、２４ｂで終端する。あらためて、各開口１９ａ、１９ｂは、側面の方向に仕切り部材１５を安定させるフット延長部２６ａ、２６ｂを保持できる。フット延長部２６ａ、２６ｂは、戻り止め突起の働きをする弾力的に構成された部分２９ａ、３０ａ、２９ｂ、２０ｂを備え、当該部分は、各開口１９ａ、１９ｂの端の後へ、したがって、底部１７の下へ延びる。それ以外については、よりよく図８を理解するために、図７の記載を参照されたい。
【００２８】
図９は、再びスライダ針１の実施態様を示し、ここでは仕切り部材１５は、恒久的な変形により所定の位置に固定される。仕切り部材１５を固定するために、２つのフット延長部２６ａ、２６ｂがあるが（図９の左上と右上）、わずか１つ、あるいは３つ以上のこのようなフット延長部が設けられてもよい。各フット延長部２６ａ、２６ｂは、部分２７ａ、２８ａ、２７ｂ、２８ｂからなる。図９に示すように、これらの延長部はそれぞれのスリット形の開口１９ａ、１９ｂを通って延びる。そこで、それらは底部１７の下に伸びるよう、針の長さ方向の前後の方へ曲げられる。その場合、くぼみ２４ａ、２４ｂは針幅全体に伸びてもよく、また単により狭くてもよい。例えば、スリット１９ａ、１９ｂの幅が限定される。
【００２９】
図７、図８および図９の仕切り部材１５は、針ベース本体２において、フット延長２６が開口１９に、針の上側から針ベース本体２に挿入され、そこに固定されて設置される。仕切り部材１５は、同様に、長さ方向におよび／または横方向に存在する若干の遊びをもって保持されてもよい。
【００３０】
図１０は別の実施態様の選択肢を示す。この場合、仕切り部材１５は針本体２に針の背面から設置される。ここで、フット延長部２６は、針の長さ方向において、弾性部２５よりも長い。適切な凹所４３、４４を弾性部２５に設けることによって、弾力突起３７、３８が設けられ、当該突起の前側３９、４０が底部１７に対する戻り止め面として当接する。その場合、長さ方向に伸びるフット延長部２６の突起４１、４２は、底部１７の下で延びる。
【００３１】
仕切り部材１５をスライダ針１に設置するための別の選択肢は、図１１から明らかである。上記の記載は、以下説明する差異を除いて、この実施態様に適用され、すでに説明した参照符号は基礎として使用される。図１１の仕切り部材１５は、図５の仕切り部材１５と同様に、互いに離れる方向に横に曲げられた部分２７、２８に加え、弾力的に構成された部分２９の形をした、少なくとも一つのクリップを備えてもよい。この弾力的に構成された部分２９は、組立てられた状態では、スライダ溝の底部１７と相互に作用する前側４０を有する。図１１の仕切り部材１５は、ねじることによって、開口１９に針背部１８から挿入され、針ベース本体２に設置される。最初に、 クリップ２９の反対側に位置する仕切り部材１５の端を開口１９に挿入し、そこで軸周りの旋回動作によって所定の位置に固定する。その際、クリップ２９の前側４０は底部１７の上に位置する。このようにして、仕切り部材１５を針ベース本体２に留めることができる。
【００３２】
本発明では、スライダ針１は、針ベース本体２の開口１９を通して、例えば下側から、留められる、仕切り部材１５を含む。仕切り部材１５は、実際、オプションとして若干の遊びをもって、嵌め合い係合する結果、針ベース本体２に容易に挿入されうるが、なおも確実に保持されるような形状を持つ。当該仕切り部材は、弾性部２５およびスライダ・スリットの底部１７と相互に作用するフット延長部２６を備える。フット延長部２６は、反対方向に曲げられた２つの部分２７、２８、２７ａ、２８ａを有するのが好ましい。当該部分は、横方向か、そうでない場合平坦な仕切り部材１５の長さ方向に曲げられてもよい。挿入スリットの形で構成されうる開口１９の領域では、針ベース本体２の背部１８はくぼみ２４を有するので、部分２７、２８、２７ａ、２８ａは、針背部１８を越えて突き出ることがない。弾性部２５は、仕切り部材１５との一体部品であるのが好ましい。この結果、弾性部１５が外れる（失う）ことはない。費用効果的な製造が可能である。
【符号の説明】
【００３３】
１  スライダ針
２  針本体
３  フック
４  突端
５、６  側壁
７  スライダ溝
８  スライダ
９、１０  脚、薄片
１１、１２  突起
１３、１４  足部
１５  仕切り部材
１６  位置
１７  底部
１８  針背部
１９  開口
２０、２１  底部分
２２、２３  内表面
２４  くぼみ
２５  弾性部
２６  フット延長部
２７、２８  部分（曲げられた）
２９、３０  部分（弾力的に構成された）
３１、３２  戻り止め面
３３、３４  突出部
３５、３６  挿入斜面
３７、３８  突起
３９、４０  前側
４１、４２  突起
４３、４４  凹部
【図１】
2011074559.tif 000003
【図２】
2011074559.tif 000004
【図３】
2011074559.tif 000005
【図４】
2011074559.tif 000006
【図５】
2011074559.tif 000007
【図６】
2011074559.tif 000008
【図７】
2011074559.tif 000009
【図８】
2011074559.tif 000010
【図９】
2011074559.tif 000011
【図１０】
2011074559.tif 000012
【図１１】
2011074559.tif 000013